(57)【要約】【課題】通常の座椅子としての利便性を損なうことなく、長時間座ることにより生じる腰の痛みを効果的に解消することができるクッションを提供する。【解決手段】底面部４と、両側面部７と、背面部５と、上面部６とからなり、両側面部７が略三角形状を呈するクッションである。上面部６が凹状に湾曲している。背面部５の上部に凹部が形成されていることが好ましく、また、底面部４の先方に折畳自在の脚載具９が連結されていることが好ましい。【選択図】図１
0003176695.tif 000002
【実用新案登録請求の範囲】
【請求項１】
底面部と、両側面部と、背面部と、上面部とからなり、両側面部が略三角形状を呈するクッションであって、前記上面部が凹状に湾曲していることを特徴とするクッション。
【請求項２】
前記背面部の上部に凹部が形成されている請求項１記載のクッション。
【請求項３】
前記底面部の先方に、折畳自在の脚載具が連結されている請求項１または２記載のクッション。
【考案の詳細な説明】
【技術分野】
【０００１】
本考案は、座椅子としての機能を有し、また着座用のクッションとして使用できるとともに、腰に負担が生じた際は背筋を伸ばすストレッチ運動も行うことができるクッションに関する。
【背景技術】
【０００２】
座椅子は、日本間をはじめ板張りの洋間にも幅広く使用されている。一般的な座椅子は、ラチェット金具により座部と背凭れを角度調節自在に連結されている。また、内部に緩衝材を収容させたクッションは、座布団として使用する小型タイプのものや、横になった身体の下部に敷設する長尺状のもの等がある。
【０００３】
また、座椅子全体を軟質のマットレスによりなる３ないし４つの部分より構成し、しかもその３ないし４つの部分の形状を特定すると共にそれぞれ相互に回動可能に接合することによって、種々の使用形態が実現できる座椅子がある（例えば、特許文献１参照）。
【０００４】
上掲特許文献１に記載された座椅子は、扁平な平行６面体よりなる胴部マットレス、該胴部マットレスの上面の一端の折目部に回動自在に接続された断面台形の柱状体よりなる背部マットレス、および、該背部マットレスの上面の一端の折目部において回動自在に接続された断面ほぼ三角形状の柱状体よりなる頭部マットレスとからなることを特徴とする。
【先行技術文献】
【特許文献】
【０００５】
【特許文献１】実開平６−５２６２２号公報（実用新案登録請求の範囲等）
【考案の概要】
【考案が解決しようとする課題】
【０００６】
しかしながら、従来の座椅子は操作や腰部への負担といった面で必ずしも十分に満足し得るものではなかった。例えば、上掲特許文献１の座椅子にしても、使用の際の操作が面倒であり、着座時の安定性が得られず、さらに長時間座っていると腰部に負担が掛り、腰痛が発生するという問題があった。
【０００７】
そこで本考案の目的は、通常の座椅子としての利便性を損なうことなく、且つ長時間座ることにより生じる腰の痛みを効果的に解消できるクッションを提供することにある。
【課題を解決するための手段】
【０００８】
上記課題を解決するために、本考案のクッションは、底面部と、両側面部と、背面部と、上面部とからなり、両側面部が略三角形状を呈するクッションであって、前記上面部が凹状に湾曲していることを特徴とするものである。
【０００９】
本考案のクッションにおいては、前記背面部の上部に凹部が形成されていることが好ましい。
【００１０】
また、前記底面部の先方に、折畳自在の脚載具を好適に連結させることができる。
【考案の効果】
【００１１】
本考案のクッションによれば、長時間座り続けて腰の痛みが生じた際、凹状に湾曲している上面部上に腹這になることで、背筋を伸ばすストレッチ効果を得ることができる。
【００１２】
また、底面部の先方に折畳自在の脚載具を連結することで、着座時のリラックス感を高めることができる。
【図面の簡単な説明】
【００１３】
【図１】本考案の一好適例のクッションの一部を欠切した全体斜視図である。
【図２】図１に示すクッションの側面図である。
【図３】図１に示すクッションの断面図である。
【図４】図１に示すクッションの脚載具を折り畳んだ状態を示す側面図である。
【図５】（ａ）（ｂ）（ｃ）は夫々図１に示すクッションの使用状態を示す説明図である。
【考案を実施するための形態】
【００１４】
以下、本考案のクッションにおける実施の形態を図面に基づいて説明する。
図１乃至図３に示す本考案の一実施の形態に係るクッション１は、緩衝性を有する発泡ウレタン等の中材２と、中材２の周囲に被覆されているカバー材３とで構成されている。このクッション１は、矩形状の底面部４と、両側面部７と、背面部５と、上面部６とからなり、両側面部７が略三角形状を呈している。
【００１５】
本考案においては、上面部６が凹状に湾曲している。この上面部６は、図５の（ａ）に示すように、上面部６上に腹這になったとき、理想的なストレッチ効果が得られる状態に湾曲している。また（ｂ）に示すように、上面部６上に仰向けになったときには、背筋を心地よい角度に湾曲させることができる。
【００１６】
図示するクッション１は、背面部５の上部に凹部８が形成されている。かかる凹部８は、背面部５の上部の中央部に形成されており、背面部５側に向かってやや傾斜している。背面部５の上部に凹部８を設けることで、上面部６に腹這になった際には首や顎を収めることができ、一方、仰向けになったときは、首や後頭部を収めることができる。そのため、使用時における頭部の安定性が向上する。
【００１７】
さらに、クッション１の底面部４の先方には、折畳自在の脚載具９が連結されている。脚載具９は先方が湾曲状で、中央部がやや嵩高状に形成されている。また、脚載具９は、連結部１０によりクッション１の底面部４の先方に折畳自在に連結されている。これにより、図４に示すように、持ち運ぶ際、また収納時において、脚載具９を上面部６側に折り畳むことで小型化され、利便性が向上する。
【００１８】
次に、図５の（ａ）（ｂ）（ｃ）に基づいて、上述の本考案のクッションの使用方法を説明する。
【００１９】
図５の（ａ）は、上面部６上に腹這になった状態を示す。この状態で腕で身体を支えて頭部を引き上げることで、背筋を伸ばすストレッチ体操を行うことができ、長時間座り続けた際の腰の痛みを解消することができる。また、凹部７に首や顎を載せておくことで、背筋を伸ばした状態でテレビ鑑賞や読書を行うこともできる。
【００２０】
図５の（ｂ）は、仰向けに横になり、傾斜部６に背中を当て、後頭部や首を凹部８に入れた状態を示す。この状態は、背筋を心地よい角度に湾曲させることができるとともに、頭部の安定性を向上させることができる。
【００２１】
図５の（ｃ）は、本考案のクッション１を座椅子として使用した状態を示す。この場合、背筋を心地よい角度に湾曲することができるとともに、脚載具９に脚を載置することで、脚部が楽になり、リラックス感を高めることができる。
【符号の説明】
【００２２】
１  クッション
２  中材
３  カバー材
４  底面部
５  背面部
６  上面部
７  側面部
８  凹部
９  脚載具
１０  連結部
【図１】
0003176695.tif 000003
【図２】
0003176695.tif 000004
【図３】
0003176695.tif 000005
【図４】
0003176695.tif 000006
【図５】
0003176695.tif 000007